(57)【特許請求の範囲】
【請求項１】
ネットワークを介して通信を行う送信側の通信端末および受信側の通信端末を備えた通信システムであって、
前記送信側の通信端末は、
前記受信側の通信端末と音声通信を行う音声通信部と、
前記送信側の通信端末の周囲を撮影することにより撮影画像を取得する撮影部と、
前記撮影画像を記憶する画像記憶部と、
前記画像記憶部に記憶された撮影画像を表示する画像表示部と、
前記撮影画像を、前記受信側の通信端末に送信する画像送信部と、
前記撮影画像を前記受信側の通信端末に表示するよう要求する表示要求情報を、前記受信側の通信端末に送信する表示要求送信部と、
前記音声通信中に前記撮影部によって前記撮影画像が取得された場合、前記撮影部による撮影を終了させた後、取得された撮影画像を前記画像表示部に表示させるとともに、前記画像送信部および前記表示要求送信部に前記撮影画像および前記表示要求情報を送信させる撮影画像表示制御部と、
を有し、
前記受信側の通信端末は、
前記送信側の通信端末と音声通信を行う音声通信部と、
前記送信側の通信端末から前記撮影画像を受信する画像受信部と、
前記送信側の通信端末から前記表示要求情報を受信する表示要求受信部と、
前記画像受信部によって受信された撮影画像を記憶する画像記憶部と、
前記画像記憶部に記憶された撮影画像を表示する画像表示部と、
前記音声通信中に前記表示要求受信部によって前記表示要求情報が受信されると、前記表示要求情報が示す撮影画像を前記画像表示部に表示させる受信画像表示制御部と、
を有する通信システム。
【請求項２】
前記送信側の通信端末において、
前記表示要求送信部は、前記送信側の通信端末の画像記憶部に記憶された撮影画像を前記送信側の通信端末の外部から特定するための撮影画像特定情報を前記表示要求情報に含めて前記受信側の通信端末に送信し、
前記画像送信部は、前記撮影画像特定情報によって特定される撮影画像の送信を要求する送信要求情報を前記受信側の通信端末から受信すると、前記撮影画像を前記受信側の通信端末に送信し、
前記撮影画像表示制御部は、前記音声通信中に前記表示要求送信部に前記表示要求情報を送信させた後、前記画像送信部に前記送信要求情報を受信させることにより前記撮影画像を送信させ、
前記受信側の通信端末において、
前記表示要求受信部は、前記撮影画像特定情報が含まれる前記表示要求情報を前記送信側の通信端末から受信し、
前記画像受信部は、前記撮影画像特定情報によって特定される撮影画像の送信要求情報を前記送信側の通信端末に送信し、
前記受信画像表示制御部は、前記音声通信中に前記表示要求受信部によって前記表示要求情報が受信されると、前記画像受信部に前記送信要求情報を送信させることにより前記撮影画像を受信させることを特徴とする請求項１に記載の通信システム。
【請求項３】
ネットワークを介して他の通信端末と通信を行う通信端末であって、
前記他の通信端末と音声通信を行う音声通信部と、
自端末の周囲を撮影することにより撮影画像を取得する撮影部と、
前記撮影画像を記憶する画像記憶部と、
前記画像記憶部に記憶された撮影画像を表示する画像表示部と、
前記撮影画像を、前記他の通信端末に送信する画像送信部と、
前記撮影画像を前記他の通信端末に表示するよう要求する表示要求情報を、前記他の通信端末に送信する表示要求送信部と、
前記音声通信中に前記撮影部によって前記撮影画像が取得された場合、前記撮影部による撮影を終了させた後、取得された撮影画像を前記画像表示部に表示させるとともに、前記画像送信部および前記表示要求送信部に前記撮影画像および前記表示要求情報を送信させる撮影画像表示制御部と、
を備えた通信端末。
【請求項４】
前記表示要求送信部は、前記画像記憶部に記憶された撮影画像を自端末の外部から特定するための撮影画像特定情報を前記表示要求情報に含めて前記他の通信端末に送信し、
前記画像送信部は、前記撮影画像特定情報によって特定される撮影画像の送信を要求する送信要求情報を前記他の通信端末から受信すると、前記撮影画像を前記他の通信端末に送信し、
前記撮影画像表示制御部は、前記音声通信中に前記表示要求送信部に前記表示要求情報を送信させた後、前記画像送信部に前記送信要求情報を受信させることにより前記撮影画像を送信させることを特徴とする請求項３に記載の通信端末。
【請求項５】
ネットワークを介して通信を行う送信側の通信端末および受信側の通信端末を備えた通信システムにおいて、
前記送信側の通信端末および受信側の通信端末が音声通信を開始し、
前記送信側の通信端末が、
撮影部を用いて前記送信側の通信端末の周囲を撮影することにより撮影画像を取得し、
前記撮影画像を画像記憶部に記憶し、
前記撮影部による撮影を終了し、
前記画像記憶部に記憶した撮影画像を画像表示部に表示させ、
前記撮影画像と、前記撮影画像の表示を要求する表示要求情報とを前記受信側の通信端末に送信し、
前記受信側の通信端末が、
前記撮影画像および前記表示要求情報を受信し、
受信した撮影画像を画像記憶部に記憶し、
前記表示要求情報が示す撮影画像を画像表示部に表示させる、通信方法。
【請求項６】
前記送信側の通信端末は、
前記画像記憶部に記憶された撮影画像を前記送信側の通信端末の外部から特定するための撮影画像特定情報を前記表示要求情報に含めて前記受信側の通信端末に送信し、
前記受信側の通信端末は、前記表示要求情報を受信すると、受信した表示要求情報に含まれる前記撮影画像特定情報によって特定される撮影画像の送信を要求する送信要求情報を前記送信側の通信端末に送信し、
前記送信側の通信端末は、前記送信要求情報を受信すると前記撮影画像を前記受信側の通信端末に送信することを特徴とする請求項５に記載の通信方法。
【請求項７】
ネットワークを介して他の通信端末と通信を行う通信端末に、
前記他の通信端末との音声通信を開始する音声通信開始ステップと、
前記他の通信端末との音声通信中に、撮影部に自端末の周囲を撮影させて撮影画像を取得する撮影ステップと、
前記撮影部による撮影を終了させる撮影終了ステップと、
前記撮影画像を画像表示部に表示させる撮影画像表示ステップと、
前記撮影画像と、前記撮影画像の表示を要求する表示要求情報とを前記他の通信端末に送信する撮影画像表示要求送信ステップと、を実行させるコンピュータ・プログラム。
【発明の詳細な説明】
【技術分野】
【０００１】
本発明は、ネットワークを介して通信を行う通信端末に関し、特に、音声通信機能および周囲を撮影する撮影機能を有する通信端末、通信システム、通信方法およびコンピュータ・プログラムに関する。
【背景技術】
【０００２】
音声通信機能および撮影機能を有する通信端末が一般的に知られている。例えば、このような通信端末としては、カメラ付き携帯電話等が普及している。このような一般的な通信端末として、音声通信中に撮影画像を共有することが可能なものがある。ここで、音声通信中の撮影画像の共有とは、音声通信中に一方の通信端末で撮影された撮影画像を他方の通信端末に送信することにより双方の通信端末で表示しながら音声通信を続けることをいう。
【０００３】
例えば、このような通信端末は、電子メール機能を用いて音声通信中に撮影画像を共有する。具体的には、このような通信端末は、音声通信中に利用者によって起動される撮影機能を用いて、周囲の撮影および撮影画像の保存を行う。そして、このような通信端末は、さらに利用者によって起動される電子メール機能を用いて、保存した撮影画像を電子メールの添付ファイルとして通信先の通信端末に送信する。続いて、このような通信端末は、さらに利用者によって起動される画像表示機能を用いて、音声通信中に撮影画像の表示を行う。一方、通信先の通信端末は、撮影画像が添付された電子メールを音声通信中に受信すると、利用者によって起動される画像表示機能を用いて、受信した撮影画像の表示を行う。
【０００４】
また、このように音声通信中に撮影画像を共有する他の通信端末として、通信先の通信端末の周囲に通話相手が存在するか否かを表すプレゼンス情報として周囲の撮影画像を送受信するものがある（例えば、特許文献１参照）。
【０００５】
この特許文献１に記載された通信端末は、サーバに対してあらかじめユーザ登録をしておき、サーバにログインする。そして、この通信端末は、あらかじめ設定しておいたユーザリストのうちサーバにログイン中のユーザの通信端末に関する情報をサーバから取得する。さらに、この通信端末は、取得した情報を用いて、サーバにログイン中のユーザの通信端末との間で、プレゼンス情報としての撮影画像を送受信する。
【０００６】
また、他のこのような通信端末として、操作画面および撮影画像の表示を切り替える表示切替キー、撮影画像および外部入力画像の表示を切り替える画像入力切替キー、および表示した画像を送信するか記憶媒体に記憶するかを切り替える送信記憶切替キーを有する携帯電話が知られている（例えば、特許文献２参照）。
【０００７】
この特許文献２に記載された携帯電話は、音声通信中に表示切替キーおよび画像入力切替キーが押下されて撮影画像の表示が選択されると、撮影装置によって撮影中の撮影画像を表示装置に表示する。そして、この携帯電話は、さらに送信記憶切替キーが押下されて撮影画像の送信が選択されると、表示している撮影画像を通信先の携帯電話に送信する。
【０００８】
また、他のこのような通信端末として、複数のカメラを有し、複数のカメラによって撮影される撮影画像を音声通信先の通信端末との間で送受信する携帯通信装置がある（例えば、特許文献３参照）。
【０００９】
この特許文献３に記載された携帯通信装置は、音声通信中に、複数のカメラのうちの１つ以上が選択されると、選択されたカメラによってそれぞれ撮影中の撮影画像を、自端末および通信先の通信端末の表示画面内の１つ以上のウィンドウに表示させる。
【先行技術文献】
【特許文献】
【００１０】
【特許文献１】特開２００４−２１４９３４号公報
【特許文献２】特許第３３９７１６３号
【特許文献３】特許第４２０３２４６号
【発明の概要】
【発明が解決しようとする課題】
【００１１】
しかしながら、音声通信中に電子メール機能を用いて撮影画像を共有する通信端末では、利用者による操作が煩雑であった。
【００１２】
例えば、このような通信端末では、音声通信の開始時に通信先の通信端末を指定する操作が既になされているにもかかわらず、撮影画像を添付した電子メールの送信先として通信先の通信端末の電子メールアドレスを指定する操作が再度必要となる。また、このような通信端末では、送受信した撮影画像を表示するために、音声通信中に画像表示機能を起動する操作が必要となる。さらに、このような通信端末では、画像表示機能によって表示させる撮影画像の選択操作が必要となる場合もある。
【００１３】
また、特許文献１に記載された通信端末では、音声通信中に撮影画像を共有するために、まずログイン操作が必要となる。さらに、この通信端末では、撮影画像を送受信する相手をログイン中のユーザの中から指定する操作が必要となる。このように、特許文献１に記載された通信端末においても、音声通信中に撮影画像を共有するための操作が煩雑であった。
【００１４】
また、特許文献２に記載された通信端末は、簡単なボタン操作で、音声通信中の撮影画像の共有を可能にしているものの、そのために、撮影機能および画像表示機能を同時に起動している。したがって、特許文献２に記載された通信端末では、音声通信中に撮影画像を共有する際にメモリ等の資源を大量に消費するという課題があった。
【００１５】
また、特許文献３に記載された通信端末は、カメラを選択するという簡単な操作で、音声通信中に複数のカメラによる撮影画像の共有を可能にしているものの、そのために、撮影機能および画像表示機能を同時に起動している。したがって、特許文献３に記載された通信端末においても、音声通信中に撮影画像を共有する際にメモリ等の資源を大量に消費するという課題があった。
【００１６】
本発明は、上述の課題を解決するためになされたもので、音声通信を行う通信端末間で撮影画像を共有する際に、通信端末の資源消費量を増大させることなく操作の煩雑さを軽減することができる通信システムを提供することを目的とする。
【課題を解決するための手段】
【００１７】
本発明の通信システムは、ネットワークを介して通信を行う送信側の通信端末および受信側の通信端末を備えた通信システムであって、前記送信側の通信端末は、前記受信側の通信端末と音声通信を行う音声通信部と、前記送信側の通信端末の周囲を撮影することにより撮影画像を取得する撮影部と、前記撮影画像を記憶する画像記憶部と、前記画像記憶部に記憶された撮影画像を表示する画像表示部と、前記撮影画像を、前記受信側の通信端末に送信する画像送信部と、前記撮影画像を前記受信側の通信端末に表示するよう要求する表示要求情報を、前記受信側の通信端末に送信する表示要求送信部と、前記音声通信中に前記撮影部によって前記撮影画像が取得されると、前記撮影部による撮影を終了させた後、取得された撮影画像を前記画像表示部に表示させるとともに、前記画像送信部および前記表示要求送信部に前記撮影画像および前記表示要求情報を送信させる撮影画像表示制御部と、を有し、前記受信側の通信端末は、前記送信側の通信端末と音声通信を行う音声通信部と、前記送信側の通信端末から前記撮影画像を受信する画像受信部と、前記送信側の通信端末から前記表示要求情報を受信する表示要求受信部と、前記画像受信部によって受信された撮影画像を記憶する画像記憶部と、前記画像記憶部に記憶された撮影画像を表示する画像表示部と、前記音声通信中に前記表示要求受信部によって前記表示要求情報が受信された場合、前記表示要求情報が示す撮影画像を前記画像表示部に表示させる受信画像表示制御部と、を有する。
【００１８】
また、本発明の通信端末は、ネットワークを介して他の通信端末と通信を行う通信端末であって、前記他の通信端末と音声通信を行う音声通信部と、自端末の周囲を撮影することにより撮影画像を取得する撮影部と、前記撮影画像を記憶する画像記憶部と、前記画像記憶部に記憶された撮影画像を表示する画像表示部と、前記撮影画像を、前記他の通信端末に送信する画像送信部と、前記撮影画像を前記他の通信端末に表示するよう要求する表示要求情報を、前記他の通信端末に送信する表示要求送信部と、前記音声通信中に前記撮影部によって前記撮影画像が取得された場合、前記撮影部による撮影を終了させた後、取得された撮影画像を前記画像表示部に表示させるとともに、前記画像送信部および前記表示要求送信部に前記撮影画像および前記表示要求情報を送信させる撮影画像表示制御部と、を備える。
【００１９】
また、本発明の通信端末は、ネットワークを介して他の通信端末と通信を行う通信端末であって、前記他の通信端末と音声通信を行う音声通信部と、前記他の通信端末の周囲が撮影された撮影画像を前記他の通信端末から受信する画像受信部と、前記撮影画像の表示を要求する表示要求情報を前記他の通信端末から受信する表示要求受信部と、前記画像受信部によって受信された撮影画像を記憶する画像記憶部と、前記画像記憶部に記憶された撮影画像を表示する画像表示部と、前記音声通信中に前記表示要求受信部によって前記表示要求情報が受信されると、前記表示要求情報が示す撮影画像を前記画像表示部に表示させる受信画像表示制御部と、を備える。
【００２０】
また、本発明の通信方法は、ネットワークを介して通信を行う送信側の通信端末および受信側の通信端末を備えた通信システムにおいて、前記送信側の通信端末および受信側の通信端末が音声通信を開始し、前記送信側の通信端末が、撮影部を用いて前記送信側の通信端末の周囲を撮影することにより撮影画像を取得し、前記撮影画像を画像記憶部に記憶し、前記撮影部による撮影を終了し、前記画像記憶部に記憶した撮影画像を画像表示部に表示させ、前記撮影画像と、前記撮影画像の表示を要求する表示要求情報とを前記受信側の通信端末に送信し、前記受信側の通信端末が、前記撮影画像および前記表示要求情報を受信し、受信した撮影画像を画像記憶部に記憶し、前記表示要求情報が示す撮影画像を画像表示部に表示させる。
【００２１】
また、本発明のコンピュータ・プログラムは、ネットワークを介して他の通信端末と通信を行う通信端末に、前記他の通信端末との音声通信を開始する音声通信開始ステップと、前記他の通信端末との音声通信中に、撮影部に自端末の周囲を撮影させて撮影画像を取得する撮影ステップと、前記撮影部による撮影を終了させる撮影終了ステップと、前記撮影画像を画像表示部に表示させる撮影画像表示ステップと、前記撮影画像と、前記撮影画像の表示を要求する表示要求情報とを前記他の通信端末に送信する撮影画像表示要求送信ステップと、を実行させる。
【００２２】
また、本発明のコンピュータ・プログラムは、ネットワークを介して他の通信端末と通信を行う通信端末に、前記他の通信端末の周囲が撮影された撮影画像と、前記撮影画像の表示を要求する表示要求情報とを前記他の通信端末から受信する撮影画像表示要求受信ステップと、前記表示要求情報が示す撮影画像を画像表示部に表示させる画像表示ステップと、を実行させる。
【発明の効果】
【００２３】
本発明によれば、音声通信を行う通信端末間で撮影画像を共有する際に、通信端末の資源消費量を増大させることなく操作の煩雑さを軽減する通信システムを提供することができる。
【図面の簡単な説明】
【００２４】
【図１】本発明の第１の実施の形態としての通信システムの構成を示すブロック図である。
【図２】本発明の第１の実施の形態における通信端末のハードウェア構成図である。
【図３】本発明の第１の実施の形態としての通信システムの機能ブロック図である。
【図４】本発明の第１の実施の形態としての通信システムの動作を説明するフローチャートである。
【図５】本発明の第２の実施の形態としての通信システムの機能ブロック図である。
【図６】本発明の第２の実施の形態における表示要求情報の一例を示す図である。
【図７】本発明の第２の実施の形態としての通信システムの動作を説明するフローチャートである。
【発明を実施するための形態】
【００２５】
以下、本発明の実施の形態について、図面を参照して説明する。
【００２６】
（第１の実施の形態）
まず、本発明の第１の実施の形態としての通信システム１の構成を図１に示す。
【００２７】
図１において、通信システム１は、送信側の通信端末１０ａおよび受信側の通信端末１０ｂ（以下、総称して通信端末１０ともいう）を備えている。また、通信端末１０ａおよび１０ｂは、インターネット、ＬＡＮ（Local Area Network）、公衆回線網、無線通信網またはこれらの組合せ等によって構成されるネットワーク９を介して互いに接続されている。
【００２８】
なお、図１には、通信端末１０ａおよび１０ｂを１つずつ示しているが、本発明における送信側の通信端末および受信側の通信端末の数を限定するものではない。
【００２９】
次に、通信端末１０のハードウェア構成を図２に示す。通信端末１０は、ＣＰＵ（Central Processing Unit）１００１と、ＲＡＭ（Random Access Memory）１００２と、ＲＯＭ（Read Only Memory）１００３と、フラッシュメモリ等の記憶装置１００４と、マイク１００５と、スピーカ１００６と、音声符復号回路１００７と、カメラ１００８と、画像処理回路１００９と、液晶ディスプレイ等の表示装置１０１０と、操作ボタンやキーボード等の入力装置１０１１と、通信モジュール１０１２とを含んで構成されている。なお、通信端末１０ｂは、カメラ１００８および画像処理回路１００９を備えていなくてもよい。
【００３０】
ＣＰＵ１００１は、ＲＯＭ１００３および記憶装置１００４に記憶されたプログラムをＲＡＭ１００２に読み込んで実行することにより、通信端末１０の各部を制御する。
【００３１】
音声符復号回路１００７は、マイク１００５から入力される音声信号を符号化して音声データを出力する。また、音声符復号回路１００７は、音声データを復号してスピーカ１００６に出力する。
【００３２】
画像処理回路１００９は、カメラ１００８から入力される信号を符号化して画像データを出力する。また、画像処理回路１００９は、画像データを圧縮する回路をさらに含んでいてもよい。
【００３３】
通信モジュール１０１２は、ネットワーク９を介して外部との通信を行う。例えば、通信端末１０が無線通信網に接続される場合、通信モジュール１０１２は、電波を送受信するアンテナおよびアンテナが送受信する信号を変復調する回路等を含んでいてもよい。
【００３４】
次に、通信端末１０の機能ブロック構成を図３に示す。図３において、通信端末１０ａは、音声通信部１０１ａ、撮影部１０２、画像表示部１０３ａ、画像記憶部１０４ａ、画像送信部１０５、表示要求送信部１０６および撮影画像表示制御部１０７を備えている。また、通信端末１０ｂは、音声通信部１０１ｂ、画像表示部１０３ｂ、画像記憶部１０４ｂ、画像受信部１０８、表示要求受信部１０９および受信画像表示制御部１１０を備えている。
【００３５】
ここで、音声通信部１０１ａおよび１０１ｂ（以下、総称して音声通信部１０１ともいう）は、ＣＰＵ１００１、マイク１００５、スピーカ１００６、音声符復号回路１００７および通信モジュール１０１２によって構成される。また、撮影部１０２は、ＣＰＵ１００１、カメラ１００８および画像処理回路１００９によって構成される。また、画像表示部１０３ａおよび１０３ｂ（以下、総称して画像表示部１０３ともいう）は、ＣＰＵ１００１および表示装置１０１０によって構成される。また、画像記憶部１０４は、記憶装置１００４によって構成される。また、撮影画像表示制御部１０７および受信画像表示制御部１１０は、ＣＰＵ１００１によって構成される。また、画像送信部１０５、表示要求送信部１０６、画像受信部１０８および表示要求受信部１０９は、ＣＰＵ１００１および通信モジュール１０１２によって構成される。
【００３６】
また、通信端末１０は、通信端末１０ａおよび１０ｂの備える各機能ブロックを全て備えることにより、送信側の通信端末としても受信側の通信端末としても機能するように構成されていてもよい。
【００３７】
次に、各機能ブロックについて説明する。
【００３８】
音声通信部１０１は、他の通信端末１０の音声通信部１０１との音声通信を行う。具体的には、音声通信部１０１は、他の通信端末１０への発呼処理、他の通信端末１０からの着呼処理、音声信号の送受信処理、および、音声信号の符復号処理等を行う。これにより、音声通信部１０１は、通信端末１０の利用者に他の通信端末１０との通話機能を提供する。
【００３９】
例えば、音声通信部１０１は、ＳＩＰ（Session Initiation Protocol）を用いて通信端末１０間にセッションを確立することにより、ＳＩＰセッションを用いて音声通信を行ってもよい。
【００４０】
なお、音声通信部１０１は、ネットワーク９に接続された交換機（図示せず）を介して他の通信端末１０との音声通信のためのセッションを確立してもよい。例えば、音声通信部１０１がＳＩＰを用いる場合、ネットワーク９に接続されたＳＩＰプロキシサーバを介して他の通信端末１０とのＳＩＰセッションを確立してもよい。
【００４１】
撮影部１０２は、通信端末１０ａの周囲を撮影し、撮影画像を取得する。ここで、撮影画像の取得とは、撮影対象を写して画像データを発生することである。その画像データは、ここでは撮影画像と称される。さらに、撮影部１０２は、撮影画像の圧縮処理を行ってもよい。そして、撮影部１０２は、撮影画像にファイル名等の識別情報を付与して後述の画像記憶部１０４に保存する。
【００４２】
また、撮影部１０２は、撮影画像の取得および保存を終了すると、撮影画像に付与した識別情報および画像記憶部１０４における記憶位置を、後述の撮影画像表示制御部１０７に通知する。
【００４３】
なお、撮影部１０２は、記憶装置１００４に格納された画像撮影アプリケーションがＣＰＵ１００１によって実行されることにより起動される。また、撮影部１０２は、起動されてから撮影画像を取得するまでの間、撮影対象を表示装置１０１０に表示してもよい。
【００４４】
画像記憶部１０４は、撮影部１０２によって取得された撮影画像または後述の画像受信部１０８によって受信された撮影画像を記憶する。
【００４５】
画像表示部１０３は、画像記憶部１０４に記憶された撮影画像の表示を行う。
【００４６】
なお、画像表示部１０３は、記憶装置１００４に格納された画像表示アプリケーションがＣＰＵ１００１によって実行されることにより、起動される。
【００４７】
画像送信部１０５は、撮影部１０２によって取得された撮影画像を、ネットワーク９を介して通信端末１０ｂに送信する。例えば、画像送信部１０５は、記憶装置１００４に記憶された電子メールクライアントアプリケーションがＣＰＵ１００１によって実行されることにより実現される電子メール機能を用いて撮影画像を送信してもよい。
【００４８】
表示要求送信部１０６は、撮影部１０２によって取得された撮影画像の表示を通信端末１０ｂに要求する情報を表す表示要求情報を通信端末１０ｂに送信する。また、表示要求送信部１０６は、要求対象の撮影画像の識別情報を表示要求情報に含めるようにする。
【００４９】
例えば、表示要求送信部１０６は、上述の電子メール機能を用いて表示要求情報を送信してもよい。この場合、表示要求送信部１０６は、画像送信部１０５が撮影画像を添付する電子メールのヘッダまたは本文に、この撮影画像の識別情報をタグ形式で表した表示要求情報を含めるようにしてもよい。
【００５０】
撮影画像表示制御部１０７は、音声通信部１０１による音声通信中に撮影部１０２によって撮影画像が取得されると、撮影部１０２に周囲の撮影を終了させた後、画像表示部１０３ａを起動する。そして、撮影画像表示制御部１０７は、撮影画像を表示させるよう画像表示部１０３ａを制御する。すなわち、撮影画像表示制御部１０７は、撮影部１０２を構成する撮影アプリケーションを終了させ、画像表示部１０３ａを構成する画像表示アプリケーションを起動し、画像表示アプリケーションに撮影画像を表示させる。
【００５１】
このとき、撮影画像表示制御部１０７は、撮影部１０２から通知される撮影画像の識別情報および記憶位置を画像表示部１０３ａに通知することにより、画像表示部１０３ａに撮影画像を表示させてもよい。
【００５２】
また、撮影画像表示制御部１０７は、音声通信部１０１による音声通信中に撮影部１０２によって撮影画像が取得されると、画像送信部１０５および表示要求送信部１０６に、取得された撮影画像およびその表示要求情報を送信させる。
【００５３】
このとき、撮影画像表示制御部１０７は、撮影画像を画像送信部１０５に送信させる送信先として、通信端末１０ｂを識別する宛先情報を取得する。例えば、画像送信部１０５が電子メール機能を利用して撮影画像を送信する場合、撮影画像表示制御部１０７は、通信端末１０ｂの電子メールアドレスを宛先情報として取得する。そして、撮影画像表示制御部１０７は、画像送信部１０５に、取得した電子メールアドレスに対して撮影画像を送信させる。
【００５４】
なお、撮影画像表示制御部１０７は、音声通信部１０１による接続を利用して、通信端末１０ｂの宛先情報を取得してもよい。例えば、音声通信部１０１がＳＩＰセッションを確立している場合、撮影画像表示制御部１０７は、ＳＩＰのＭＥＳＳＡＧＥリクエストを用いて通信端末１０ｂに宛先情報を問い合わせてもよい。また、音声通信部１０１がＳＩＰプロキシサーバ等の交換機を介して通信端末１０ｂとの音声通信を行っている場合、撮影画像表示制御部１０７は、通信端末１０ｂに関する情報を交換機に問い合わせることにより通信端末１０ｂの宛先情報を取得してもよい。
【００５５】
画像受信部１０８は、通信端末１０ａから送信される撮影画像を受信する。また、画像受信部１０８は、受信した撮影画像を画像記憶部１０４ｂに記憶する。例えば、画像受信部１０８は、画像送信部１０５によって電子メールに添付された撮影画像が送信される場合、電子メール機能を用いて撮影画像を受信すればよい。
【００５６】
表示要求受信部１０９は、通信端末１０ａから送信される表示要求情報を受信する。例えば、表示要求受信部１０９は、表示要求送信部１０６によって電子メール機能を用いて表示要求情報が送信される場合、電子メール機能を用いて表示要求情報を受信すればよい。
【００５７】
受信画像表示制御部１１０は、音声通信部１０１ｂによる音声通信中に表示要求受信部１０９によって表示要求情報が受信されると、画像表示部１０３ｂを起動する。そして、受信画像表示制御部１１０は、表示要求情報が示す撮影画像を画像表示部１０３ｂに表示させる。すなわち、受信画像表示制御部１１０は、音声通信中に表示要求情報が受信されると、画像表示部１０３ｂを構成する画像表示アプリケーションを起動し、表示要求情報が示す撮影画像を画像表示アプリケーションに通知することにより表示させる。具体的には、受信画像表示制御部１１０は、表示要求受信部１０９によって受信された表示要求情報に含まれる識別情報を、画像表示部１０３ｂに通知する。そして、受信画像表示制御部１１０は、画像表示部１０３ｂに、識別情報が示す撮影画像を画像記憶部１０４ｂから取得させることにより表示させる。
【００５８】
以上のように構成された通信システム１の動作について図４を用いて説明する。なお、図４において、左側のフローは送信側の通信端末１０ａの動作を示し、右側のフローは受信側の通信端末１０ｂの動作を示している。また、左右のフローをつなぐ破線の矢印は送受信されるデータの流れを示すものとする。
【００５９】
まず、通信端末１０ａの音声通信部１０１ａが、通信端末１０ｂに対して発呼処理を行う（ステップＳ１）。
【００６０】
例えば、音声通信部１０１ａは、上述のＳＩＰプロキシサーバに対して、ＳＩＰのＩＮＶＩＴＥリクエストを送信することにより発呼処理を開始する。ＩＮＶＩＴＥリクエストを受信したＳＩＰプロキシサーバは、ＩＮＶＩＴＥリクエスト中のＴｏフィールドを参照し、通信端末１０ｂにＩＮＶＩＴＥリクエストを転送する。なお、音声通信部１０１ａは、ＳＩＰプロキシサーバ等の交換機を介さずに発呼処理を行っても構わない。
【００６１】
次に、通信端末１０ｂの音声通信部１０１ｂが、通信端末１０ａに対して応答信号を送信する（ステップＳ２）。
【００６２】
例えば、音声通信部１０１ｂは、通信端末１０ａからのＩＮＶＩＴＥリクエストを受信すると、通信端末１０ａからの着信があった事を通信端末１０ｂの利用者に対して通知する。そして、音声通信部１０１ｂは、着信に応答することを表す情報を、入力装置１０１１を介して取得すると、通信端末１０ａに対して、応答信号として２００ＯＫを送信する。
【００６３】
次に、通信端末１０ａの音声通信部１０１ａが、応答信号を受信したことを通信端末１０ｂに送信することにより、通信端末１０ａおよび１０ｂは、音声通信を開始する（ステップＳ３）。
【００６４】
次に、通信端末１０ａの撮影部１０２は、周囲を撮影して撮影画像を取得し、取得した撮影画像に識別情報を付与して画像記憶部１０４に記憶する（ステップＳ４）。
【００６５】
このとき、撮影部１０２は、撮影画像を圧縮してから画像記憶部１０４に記憶してもよい。撮影画像に付与される識別情報は、例えば、「ｓｈａｒｅ．ｊｐｇ」等といった、ファイルシステムにおけるファイル名で表されていてもよい。
【００６６】
次に、撮影部１０２が、撮影画像の取得および保存を終了したことを撮影画像表示制御部１０７に通知する。そして、撮影画像表示制御部１０７が、撮影部１０２による周囲の撮影を終了させる（ステップＳ５）。
【００６７】
ステップＳ５の通知または撮影終了時において、撮影部１０２は、取得した撮影画像の識別情報および画像記憶部１０４ａにおける記憶位置を撮影画像表示制御部１０７に通知する。識別情報および記憶位置は、例えば、「／ｈｏｍｅ／ｕｓｅｒ／ｓｈａｒｅ．ｊｐｇ」等といった、ファイルパスおよびファイル名で表されていてもよい。
【００６８】
次に、撮影終了後、撮影画像表示制御部１０７が、画像表示部１０３ａを起動する（ステップＳ６）。
【００６９】
次に、撮影画像表示制御部１０７が、ステップＳ４で取得された撮影画像を画像表示部１０３ａに表示させる（ステップＳ７）。
【００７０】
具体的には、撮影画像表示制御部１０７は、画像表示部１０３ａを起動する際に、ステップＳ５で撮影部１０２から通知された識別情報および記憶位置を表す情報を画像表示部１０３ａに通知する。そして、画像表示部１０３ａは、対象の撮影画像を画像記憶部１０４ａから検索することにより表示する。
【００７１】
次に、撮影画像表示制御部１０７が、画像送信部１０５および表示要求送信部１０６を制御し、ステップＳ４で取得された撮影画像およびその表示要求情報を、通信端末１０ｂに対して送信させる（ステップＳ８）。
【００７２】
例えば、画像送信部１０５および表示要求送信部１０６は、前述のように電子メール機能を用いて、撮影画像を添付した電子メールのヘッダまたは本文に、撮影画像の識別情報を含む表示要求情報を含めて送信してもよい。具体的には、例えば、画像送信部１０５は、画像記憶部１０４ａから撮影画像を読み出す。さらに、画像送信部１０５は、読み出した撮影画像を電子メールに添付する。このとき、表示要求送信部１０６は、電子メールのヘッダまたは本文に撮影画像の識別情報を含む表示要求情報を挿入する。挿入後、画像送信部１０５は、撮影画像の識別情報を含む表示要求情報を含めて電子メールを送信する。
【００７３】
なお、ステップＳ８において、撮影画像表示制御部１０７は、画像送信部１０５および表示要求送信部１０６に、撮影画像および表示要求情報を同時に送信させず、順次送信させるようにしてもよい。また、画像送信部１０５による撮影画像の送信と、表示要求送信部１０６による表示要求情報の送信とは、どちらが先に実行されても構わない。
【００７４】
次に、通信端末１０ｂの画像受信部１０８および表示要求受信部１０９が、通信端末１０ａから送信される撮影画像および表示要求情報を受信する（ステップＳ９）。そして、画像受信部１０８は、受信した撮影画像を画像記憶部１０４ｂに記憶する。
【００７５】
次に、受信画像表示制御部１１０が、画像表示部１０３ｂを起動する（ステップＳ１０）。
【００７６】
次に、受信画像表示制御部１１０が、ステップＳ９で受信した表示要求情報に含まれる識別情報を画像表示部１０３ｂに通知することにより、画像表示部１０３ｂに撮影画像を表示させる（ステップＳ１１）。
【００７７】
以上で、通信システム１において、通信端末１０ａおよび１０ｂ間で音声通信中に撮影画像を共有する動作の説明を終了する。
【００７８】
次に、本発明の第１の実施の形態の効果について述べる。
【００７９】
本発明の第１の実施の形態としての通信システムは、音声通信を行う通信端末間で撮影画像を共有する際に、通信端末の資源消費量を増大させることなく操作の煩雑さを軽減することができる。
【００８０】
その理由は、撮影画像表示制御部が、音声通信中に撮影画像が取得されると、撮影部を終了させてから画像表示部を起動するので、資源消費量の大きい撮影部と画像表示部とを同時に起動しないからである。
【００８１】
また、さらなる理由は、撮影画像を取得した通信端末から他の通信端末に対して、撮影画像を送信するだけでなく、撮影画像の表示を要求する表示要求情報を送信するからである。さらに、表示要求情報を受信した他の通信端末が、画像表示部を起動して表示要求情報が示す撮影画像を表示するからである。これにより、送信側の通信端末において、音声通信中に周囲を撮影する操作が行われると、さらなる操作を必要とせずに送信側および受信側の通信端末が撮影画像を表示することができるからである。
【００８２】
（第２の実施の形態）
次に、本発明の第２の実施の形態について図面を参照して詳細に説明する。まず、本発明の第２の実施の形態としての通信システム２の機能ブロック構成を図５に示す。なお、図５において、本発明の第１の実施の形態と同一の構成には同一の符号を付して詳細な説明を省略する。
【００８３】
図５において、通信システム２は、送信側の通信端末２０ａおよび受信側の通信端末２０ｂを含んでいる。また、通信端末２０ａおよび２０ｂ（以下、総称して通信端末２０ともいう）は、ネットワーク９を介して通信可能に接続されている。また、通信端末２０は、本発明の第１の実施の形態における通信端末１０と同様に、図２に示したハードウェア構成を含んでいる。
【００８４】
通信端末２０ａは、本発明の第１の実施の形態としての通信端末１０ａに対して、画像送信部１０５、表示要求送信部１０６および撮影画像表示制御部１０７に替えて、画像送信部２０５、表示要求送信部２０６および撮影画像表示制御部２０７を備える点が異なる。
【００８５】
画像送信部２０５は、後述の送信要求情報を通信端末２０ｂから受信すると、送信要求情報が示す撮影画像をネットワーク９を介して通信端末２０ｂに送信する。
【００８６】
例えば、画像送信部２０５は、記憶装置１００４に記憶されたウェブサーバアプリケーションがＣＰＵ１００１によって実行されることにより実現されるウェブサーバ機能を用いて撮影画像を送信してもよい。この場合、画像送信部２０５は、送信要求情報として、撮影画像を特定するＵＲＬ（Uniform Resource Locator）を受信することにより、ＨＴＴＰ（HyperText Transfer Protocol）を用いて撮影画像を送信してもよい。
【００８７】
表示要求送信部２０６は、画像記憶部１０４ａに記憶されている撮影画像を、通信端末２０ａの外部から特定するための撮影画像特定情報を生成する。例えば、撮影画像特定情報は、撮影画像のＵＲＬであってもよい。
【００８８】
そして、表示要求送信部２０６は、この撮影画像特定情報を含む表示要求情報を、ネットワーク９を介して通信端末２０ｂに送信する。このとき、表示要求送信部２０６は、音声通信部１０１によって確立されているセッションを用いて表示要求情報を送信してもよい。
【００８９】
ここで、撮影画像特定情報を含む表示要求情報の一例を図６に示す。
【００９０】
図６は、音声通信部１０１によってＳＩＰセッションが確立されている場合の、ＳＩＰのＭＥＳＳＡＧＥリクエストを用いた表示要求情報の一例である。図６において、表示要求情報としてのＭＥＳＳＡＧＥリクエストは、撮影画像特定情報としてのＵＲＬ「ｈｔｔｐ：／／ａｒｅａ１．ｃｏｍ／ｓｈａｒｅ．ｊｐｇ」を含んでいる。
【００９１】
撮影画像表示制御部２０７は、音声通信部１０１ａによる音声通信中に撮影部１０２によって撮影画像が取得されると、本発明の第１の実施の形態における撮影画像表示制御部１０７と同様に、撮影部１０２および画像表示部１０３ａを制御して撮影画像を表示する。
【００９２】
また、撮影画像表示制御部２０７は、音声通信部１０１ａによる音声通信中に撮影部１０２によって撮影画像が取得されると、取得した撮影画像の表示要求情報に撮影画像特定情報を含めて表示要求送信部２０６によって送信させる。そして、撮影画像表示制御部２０７は、撮影画像特定情報を含む送信要求情報を画像送信部２０５によって受信させることにより撮影画像を送信させる。
【００９３】
通信端末２０ｂは、本発明の第１の実施の形態としての通信端末１０ｂに対して、画像受信部１０８、表示要求受信部１０９および受信画像表示制御部１１０に替えて、画像受信部２０８、表示要求受信部２０９および受信画像表示制御部２１０を備える点が異なる。
【００９４】
表示要求受信部２０９は、撮影画像特定情報を含む表示要求情報を、ネットワーク９を介して通信端末２０ａから受信する。例えば、音声通信部１０１ｂによる音声通信のセッションがＳＩＰによって確立されている場合、表示要求受信部２０９は、音声通信中のセッションにおけるＳＩＰのＭＥＳＳＡＧＥリクエストを受信することにより、撮影特定情報を含む表示要求情報を取得してもよい。
【００９５】
画像受信部２０８は、撮影画像特定情報が示す撮影画像の送信を通信端末２０ａに要求する送信要求情報を、ネットワーク９を介して通信端末２０ａに送信する。
【００９６】
受信画像表示制御部２１０は、音声通信部１０１ｂによる音声通信中に表示要求受信部２０９によって表示要求情報が受信されると、画像受信部２０８に、表示要求情報に含まれる撮影画像特定情報が示す送信要求情報を送信させることにより撮影画像を受信させる。
【００９７】
例えば、撮影画像特定情報が撮影画像のＵＲＬである場合、画像受信部２０８は、ＨＴＴＰのＧＥＴメッセージを用いて、撮影画像の送信要求情報を通信端末２０ａに送信してもよい。
【００９８】
以上のように構成された通信システム２の動作について図７を参照して詳細に説明する。なお、図７において、本発明の第１の実施の形態と同様に動作するステップには同一の符号を付して詳細な説明を省略する。
【００９９】
まず、通信システム２は、ステップＳ１〜Ｓ７まで本発明の第１の実施の形態としての通信システム１と同様に動作することにより、音声通信中に通信端末２０ａで撮影された撮影画像を通信端末２０ａに表示する。
【０１００】
次に、通信端末２０ａの撮影画像表示制御部２０７が、表示要求送信部２０６に、撮影画像特定情報を含む表示要求情報を、通信端末２０ｂに対して送信させる（ステップＳ２１）。
【０１０１】
このとき、表示要求送信部２０６は、音声通信部１０１ａによって確立されている接続を用いて、撮影画像特定情報を含む表示要求情報を送信してもよい。
【０１０２】
例えば、表示要求送信部２０６は、図６に示したＳＩＰのＭＥＳＳＡＧＥリクエストを表示要求情報として通信端末２０ｂに送信してもよい。
【０１０３】
次に、通信端末２０ｂの表示要求受信部２０９が表示要求情報を受信する。そして、受信画像表示制御部２１０が、画像受信部２０８に、表示要求情報に含まれる撮影画像特定情報が示す撮影画像の送信要求情報を、通信端末２０ａに対して送信させる（ステップＳ２２）。
【０１０４】
例えば、画像受信部２０８は、撮影画像特定情報としてのＵＲＬ「ｈｔｔｐ：／／ａｒｅａ１．ｃｏｍ／ｓｈａｒｅ．ｊｐｇ」を要求するＨＴＴＰのＧＥＴリクエストを送信要求情報として通信端末２０ａに送信してもよい。
【０１０５】
次に、通信端末２０ａの画像送信部２０５が、送信要求情報を受信する。そして、画像送信部２０５が、受信した送信要求情報に含まれる撮影画像特定情報が示す撮影画像を、通信端末２０ｂに送信する（ステップＳ２３）。
【０１０６】
例えば、画像送信部２０５は、ＨＴＴＰのＧＥＴリクエストとして送信要求情報を受信した場合、ＨＴＴＰレスポンスとして撮影画像を送信してもよい。
【０１０７】
次に、通信端末２０ｂの画像受信部２０８が、通信端末２０ｂから送信される撮影画像を受信する（ステップＳ２４）。そして、画像受信部２０８は、画像記憶部１０４ｂに受信した撮影画像を記憶する。
【０１０８】
次に、通信端末２０ｂの受信画像表示制御部２１０が、画像表示部１０３ｂを起動する（ステップＳ２５）。
【０１０９】
次に、受信画像表示制御部２１０が、ステップＳ２４で受信された撮影画像を、画像表示部１０３ｂに表示させる（ステップＳ２６）。
【０１１０】
以上で、通信システム２において、通信端末２０ａおよび２０ｂ間で音声通信中に撮影画像を共有する動作の説明を終了する。
【０１１１】
次に、本発明の第２の実施の形態の効果について述べる。
【０１１２】
本発明の第２の実施の形態としての通信システムは、資源消費量および操作の煩雑さを軽減しながら音声通信中に撮影画像を共有する通信端末の処理を効率化することができる。
【０１１３】
その理由は、送信側の通信端末が、撮影画像を外部から特定するための撮影画像特定情報を表示要求情報に含めて受信側の通信端末に送信し、受信側の通信端末が、受信した表示要求情報に含まれる撮影画像特定情報を用いることにより撮影画像を受信するからである。これにより、送信側の通信端末から受信側の通信端末に、撮影画像の送信先としての受信側の通信端末の宛先情報を問い合わせる処理が不要になるからである。
【０１１４】
なお、上述した本発明の各実施の形態において、各フローチャートを参照して説明した送信側および受信側の通信端末の動作を、本発明のコンピュータ・プログラムとして各通信端末の記憶装置（記憶媒体）にそれぞれ格納しておき、コンピュータ・プログラムを各通信端末のＣＰＵが読み出してそれぞれ実行するようにしてもよい。そして、このような場合において、本発明は、係るコンピュータ・プログラムのコードあるいは記憶媒体によって構成される。
【０１１５】
また、上述した各実施の形態は、適宜組み合わせて実施されることが可能である。
【０１１６】
また、本発明は、上述した各実施の形態に限定されず、様々な態様で実施されることが可能である。
【０１１７】
また、上記の実施形態の一部又は全部は、以下の付記のようにも記載されうるが、以下には限られない。
（付記１）
ネットワークを介して通信を行う送信側の通信端末および受信側の通信端末を備えた通信システムであって、
前記送信側の通信端末は、
前記受信側の通信端末と音声通信を行う音声通信部と、
前記送信側の通信端末の周囲を撮影することにより撮影画像を取得する撮影部と、
前記撮影画像を記憶する画像記憶部と、
前記画像記憶部に記憶された撮影画像を表示する画像表示部と、
前記撮影画像を、前記受信側の通信端末に送信する画像送信部と、
前記撮影画像を前記受信側の通信端末に表示するよう要求する表示要求情報を、前記受信側の通信端末に送信する表示要求送信部と、
前記音声通信中に前記撮影部によって前記撮影画像が取得された場合、前記撮影部による撮影を終了させた後、取得された撮影画像を前記画像表示部に表示させるとともに、前記画像送信部および前記表示要求送信部に前記撮影画像および前記表示要求情報を送信させる撮影画像表示制御部と、
を有し、
前記受信側の通信端末は、
前記送信側の通信端末と音声通信を行う音声通信部と、
前記送信側の通信端末から前記撮影画像を受信する画像受信部と、
前記送信側の通信端末から前記表示要求情報を受信する表示要求受信部と、
前記画像受信部によって受信された撮影画像を記憶する画像記憶部と、
前記画像記憶部に記憶された撮影画像を表示する画像表示部と、
前記音声通信中に前記表示要求受信部によって前記表示要求情報が受信されると、前記表示要求情報が示す撮影画像を前記画像表示部に表示させる受信画像表示制御部と、
を有する通信システム。
（付記２）
前記送信側の通信端末において、
前記表示要求送信部は、前記送信側の通信端末の画像記憶部に記憶された撮影画像を前記送信側の通信端末の外部から特定するための撮影画像特定情報を前記表示要求情報に含めて前記受信側の通信端末に送信し、
前記画像送信部は、前記撮影画像特定情報によって特定される撮影画像の送信を要求する送信要求情報を前記受信側の通信端末から受信すると、前記撮影画像を前記受信側の通信端末に送信し、
前記撮影画像表示制御部は、前記音声通信中に前記表示要求送信部に前記表示要求情報を送信させた後、前記画像送信部に前記送信要求情報を受信させることにより前記撮影画像を送信させ、
前記受信側の通信端末において、
前記表示要求受信部は、前記撮影画像特定情報が含まれる前記表示要求情報を前記送信側の通信端末から受信し、
前記画像受信部は、前記撮影画像特定情報によって特定される撮影画像の送信要求情報を前記送信側の通信端末に送信し、
前記受信画像表示制御部は、前記音声通信中に前記表示要求受信部によって前記表示要求情報が受信されると、前記画像受信部に前記送信要求情報を送信させることにより前記撮影画像を受信させることを特徴とする付記１に記載の通信システム。
（付記３）
ネットワークを介して他の通信端末と通信を行う通信端末であって、
前記他の通信端末と音声通信を行う音声通信部と、
自端末の周囲を撮影することにより撮影画像を取得する撮影部と、
前記撮影画像を記憶する画像記憶部と、
前記画像記憶部に記憶された撮影画像を表示する画像表示部と、
前記撮影画像を、前記他の通信端末に送信する画像送信部と、
前記撮影画像を前記他の通信端末に表示するよう要求する表示要求情報を、前記他の通信端末に送信する表示要求送信部と、
前記音声通信中に前記撮影部によって前記撮影画像が取得された場合、前記撮影部による撮影を終了させた後、取得された撮影画像を前記画像表示部に表示させるとともに、前記画像送信部および前記表示要求送信部に前記撮影画像および前記表示要求情報を送信させる撮影画像表示制御部と、
を備えた通信端末。
（付記４）
前記表示要求送信部は、前記画像記憶部に記憶された撮影画像を自端末の外部から特定するための撮影画像特定情報を前記表示要求情報に含めて前記他の通信端末に送信し、
前記画像送信部は、前記撮影画像特定情報によって特定される撮影画像の送信を要求する送信要求情報を前記他の通信端末から受信すると、前記撮影画像を前記他の通信端末に送信し、
前記撮影画像表示制御部は、前記音声通信中に前記表示要求送信部に前記表示要求情報を送信させた後、前記画像送信部に前記送信要求情報を受信させることにより前記撮影画像を送信させることを特徴とする付記３に記載の通信端末。
（付記５）
ネットワークを介して他の通信端末と通信を行う通信端末であって、
前記他の通信端末と音声通信を行う音声通信部と、
前記他の通信端末の周囲が撮影された撮影画像を前記他の通信端末から受信する画像受信部と、
前記撮影画像の表示を要求する表示要求情報を前記他の通信端末から受信する表示要求受信部と、
前記画像受信部によって受信された撮影画像を記憶する画像記憶部と、
前記画像記憶部に記憶された撮影画像を表示する画像表示部と、
前記音声通信中に前記表示要求受信部によって前記表示要求情報が受信されると、前記表示要求情報が示す撮影画像を前記画像表示部に表示させる受信画像表示制御部と、
を備えた通信端末。
（付記６）
前記表示要求受信部は、前記他の通信端末に記憶される前記撮影画像を前記他の通信端末の外部から特定するための撮影画像特定情報が含まれる前記表示要求情報を前記送信側の通信端末から受信し、
前記画像受信部は、前記撮影画像特定情報によって特定される撮影画像の送信を要求する送信要求情報を前記送信側の通信端末に送信し、
前記受信画像表示制御部は、前記音声通信中に前記表示要求受信部によって前記表示要求情報が受信されると、前記画像受信部に前記送信要求情報を送信させることにより前記撮影画像を受信させることを特徴とする付記５に記載の通信端末。
（付記７）
ネットワークを介して通信を行う送信側の通信端末および受信側の通信端末を備えた通信システムにおいて、
前記送信側の通信端末および受信側の通信端末が音声通信を開始し、
前記送信側の通信端末が、
撮影部を用いて前記送信側の通信端末の周囲を撮影することにより撮影画像を取得し、
前記撮影画像を画像記憶部に記憶し、
前記撮影部による撮影を終了し、
前記画像記憶部に記憶した撮影画像を画像表示部に表示させ、
前記撮影画像と、前記撮影画像の表示を要求する表示要求情報とを前記受信側の通信端末に送信し、
前記受信側の通信端末が、
前記撮影画像および前記表示要求情報を受信し、
受信した撮影画像を画像記憶部に記憶し、
前記表示要求情報が示す撮影画像を画像表示部に表示させる、通信方法。
（付記８）
前記送信側の通信端末は、
前記画像記憶部に記憶された撮影画像を前記送信側の通信端末の外部から特定するための撮影画像特定情報を前記表示要求情報に含めて前記受信側の通信端末に送信し、
前記受信側の通信端末は、前記表示要求情報を受信すると、受信した表示要求情報に含まれる前記撮影画像特定情報によって特定される撮影画像の送信を要求する送信要求情報を前記送信側の通信端末に送信し、
前記送信側の通信端末は、前記送信要求情報を受信すると前記撮影画像を前記受信側の通信端末に送信することを特徴とする付記７に記載の通信方法。
（付記９）
ネットワークを介して他の通信端末と通信を行う通信端末に、
前記他の通信端末との音声通信を開始する音声通信開始ステップと、
前記他の通信端末との音声通信中に、撮影部に自端末の周囲を撮影させて撮影画像を取得する撮影ステップと、
前記撮影部による撮影を終了させる撮影終了ステップと、
前記撮影画像を画像表示部に表示させる撮影画像表示ステップと、
前記撮影画像と、前記撮影画像の表示を要求する表示要求情報とを前記他の通信端末に送信する撮影画像表示要求送信ステップと、を実行させるコンピュータ・プログラム。
（付記１０）
ネットワークを介して他の通信端末と通信を行う通信端末に、
前記他の通信端末の周囲が撮影された撮影画像と、前記撮影画像の表示を要求する表示要求情報とを前記他の通信端末から受信する撮影画像表示要求受信ステップと、
前記表示要求情報が示す撮影画像を画像表示部に表示させる画像表示ステップと、を実行させるコンピュータ・プログラム。
（付記１１）
前記撮影画像表示要求送信ステップにおいて、前記撮影画像を自端末の外部から特定するための撮影画像特定情報を前記表示要求情報に含めて前記他の通信端末に送信した後、前記撮影画像特定情報によって特定される撮影画像の送信を要求する送信要求情報を前記他の通信端末から受信することにより、前記撮影画像を前記他の通信端末に送信することを特徴とする付記９に記載のコンピュータ・プログラム。
（付記１２）
前記撮影画像表示要求受信ステップにおいて、前記他の通信端末に記憶される前記撮影画像を前記他の通信端末の外部から特定するための撮影画像特定情報が含まれる前記表示要求情報を前記送信側の通信端末から受信した後、前記撮影画像特定情報によって特定される撮影画像の送信を要求する送信要求情報を前記送信側の通信端末に送信することにより、前記撮影画像を受信することを特徴とする付記１０に記載のコンピュータ・プログラム。
【産業上の利用可能性】
【０１１８】
本発明は、音声通信を行う通信端末間で撮影画像を共有する際に、通信端末の資源消費量を増大させることなく操作の煩雑さを軽減する通信システムを提供することができ、カメラ付き携帯電話を含む通信システムや、遠隔会議支援システム等として好適である。
【符号の説明】
【０１１９】
１、２    通信システム
９    ネットワーク
１０、２０    通信端末
１０１    音声通信部
１０２    撮影部
１０３    画像表示部
１０４    画像記憶部
１０５、２０５    画像送信部
１０６、２０６    表示要求送信部
１０７、２０７    撮影画像表示制御部
１０８、２０８    画像受信部
１０９、２０９    表示要求受信部
１１０、２１０    受信画像表示制御部
【図１】
0005636747.tif 000002
【図２】
0005636747.tif 000003
【図３】
0005636747.tif 000004
【図４】
0005636747.tif 000005
【図５】
0005636747.tif 000006
【図６】
0005636747.tif 000007
【図７】
0005636747.tif 000008